【手続補正書】
【提出日】平成16年10月14日(2004.10.14)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵する電動送風機室と、塵埃を捕集する集塵室と、前記電動送風機室と連通するとともに前記電動送風機からの排気を外部に排出する開口部を備え、前記開口部が一個の場合はその内周長を、前記開口部が複数個の場合は、その内周長の総和をａとし、前記開口部の総開口面積と略同一の面積を有する四角形の総内周長をｂとしたとき、ａ＜４ｂになるように設定した電気掃除機。
【請求項２】  複数に分割された開口部の内、開口部の総開口面積の１／１６以下の開口部を、ａ、ｂの算出から除外した請求項１記載の電気掃除機。
【請求項３】  電動送風機室と開口部を連通する通路を、通路を複数に分割するためのリブや格子等を備えない単一通路とした請求項１または２記載の電気掃除機。
【請求項４】  電動送風機の後方に排気を上方に流すための迂回通路を設けた請求項１〜３のいずれか１項記載の電気掃除機。
【請求項５】  開口部にて排気方向が変化するように遮音壁を設けた請求項１〜４のいずれか１項記載の電気掃除機。
【請求項６】  開口部にて排気方向が変化するように設けた遮音壁の一面に吸音材を配した請求項１〜５のいずれか１項記載の電気掃除機。
【請求項７】  排気口の上流側に塵埃捕集用のフィルタ−を配した請求項１〜６のいずれか１項記載の電気掃除機。
【請求項８】  フィルタ−を、床面に対し斜めになるように迂回通路内に設けた請求項１〜７のいずれか１項記載の電気掃除機。
【発明の詳細な説明】
【０００１】
【発明の属する技術分野】
本発明は、一般家庭において使用する電気掃除機の防音構成に関するものである。
【０００２】
【従来の技術】
従来の電気掃除機は図５に示すものが一般的であり、以下図面にしたがって説明する。
【０００３】
図７に示すように、掃除機本体１には電動送風機２を有し、電動送風機２の排気側に格子状の排気口３をフィルタ−８の流出側に設けている。
【０００４】
【発明が解決しようとする課題】
このような従来の電気掃除機では、電動送風機２で発生する気流音に加えて排気口３の格子によって新たな気流音が発生し騒音が高くなるという問題があった。また、格子によって排気の流れが妨げられ吸込仕事率が低下する問題や、フィルタ−８と格子が近接しているためフィルタ−８の全面に排気が流れずフィルタ−の全面積の有効利用ができないという問題があった。本発明は上記課題を解決するもので、低騒音化電気掃除機を提供することを目的とする。
【０００５】
【課題を解決するための手段】
上記目的を達成するために本発明は、電動送風機を内蔵する電動送風機室と、塵埃を捕集する集塵室と、前記電動送風機室と連通するとともに前記電動送風機からの排気を外部に排出する開口部を備え、前記開口部が一個の場合はその内周長を、前記開口部が複数個の場合は、その内周長の総和をａとし、前記開口部の総開口面積と略同一の面積を有する四角形の総内周長をｂとしたとき、ａ＜４ｂになるように設定した電気掃除機としたので、四角形の総内周長が短いため新たな気流音が発生する箇所が少なく低騒音化を実現することができる。また、排気の流れを妨げるものが少ないため吸込仕事率を高くすることができる。
【０００６】
【発明の実施の形態】
本発明の請求項１記載の発明は、電動送風機を内蔵する電動送風機室と、塵埃を捕集する集塵室と、前記電動送風機室と連通するとともに前記電動送風機からの排気を外部に排出する開口部を備え、前記開口部が一個の場合はその内周長を、前記開口部が複数個の場合は、その内周長の総和をａとし、前記開口部の総開口面積と略同一の面積を有する四角形の総内周長をｂとしたとき、ａ＜４ｂになるように設定した電気掃除機としたので、四角形の総内周長が短いため新たな気流音が発生する箇所が少なく低騒音化を実現することができる。また、排気の流れを妨げるものが少ないため吸込仕事率を高くすることができる。
【０００７】
本発明の請求項２記載の発明は、複数に分割された開口部の内、開口部の総開口面積の１／１６以下の開口部を、ａ、ｂの算出から除外した請求項１記載の電気掃除機としたので、開口部の総内周長が短いため新たな気流音が発生する箇所が少なく低騒音化を実現することができる。また、排気の流れを妨げるものが少ないため吸込仕事率を高くすることができる。
【０００８】
本発明の請求項３記載の発明は、電動送風機室と開口部を連通する通路を、通路を複数に分割するためのリブや格子等を備えない単一通路とした請求項１または２記載の電気掃除機としたので、リブや格子による新たな気流音が発生することがなく、低騒音化を実現することができる。また、排気の流れを妨げるものがないため吸込仕事率を高くすることができる。
【０００９】
本発明の請求項４記載の発明は、電動送風機の後方に排気を上方に流すための迂回通路を設けた請求項１〜３のいずれか１項記載の電気掃除機としたので開口部の総内周長が短いため新たな気流音が発生しない上に排気通路が長くなることで排気の整流作用がさらに向上し騒音エネルギ−を確実に低減することができる。また、迂回通路は排気を上方に流すよう設けたため排気通路長を確保しつつ掃除機本体の全長を短くすることができる。
【００１０】
本発明の請求項５記載の発明は、開口部にて排気方向が変化するように遮音壁を設けた請求項１〜４のいずれか１項記載の電気掃除機としたので、排気流は遮音壁に当たった後、排気方向を変えて遮音壁の外周方向に広がり遮音壁の外周部と排気口部の外周部との間隙より排出されるため、遮音壁の遮音作用及び間隙での整流作用によって騒音がさらに低減される。
【００１１】
本発明の請求項６記載の発明は、開口部にて排気方向が変化するように設けた遮音壁の一面に吸音材を配した請求項１〜５のいずれか１項記載の電気掃除機としたので、遮音壁の遮音作用及び間隙での整流作用に加えて吸音材の吸音作用によって高周波音がさらに低減される。
【００１２】
本発明の請求項７記載の発明は、排気口の上流側に塵埃捕集用のフィルタ−を配した請求項１〜６のいずれか１項記載の電気掃除機としたので、フィルタ−の流入側および流出側に格子等の障害がない、あるいは開口部の総内周長が短いためフィルタ−を通過する排気の流れを妨げる障害が少なく、フィルタ−の全面積を有効に利用でき、集塵効率および吸込仕事率が高くなる。また、フィルタ−を通過することで排気の流速を低下することができ気流音を低減することができる。
【００１３】
本発明の請求項８記載の発明は、フィルタ−を、床面に対し斜めになるように迂回通路内に設けた請求項１〜７のいずれか１項記載の電気掃除機としたので、斜めに取りつけることにより少ないスペ−スでフィルタ−の全面積を有効に利用できるため集塵効率が高くなり、かつ表面積が大きくなることにより圧損が小さくなり吸込仕事率が高くなる。
【００１４】
【実施例】
（実施例１）
以下に本発明の第１の実施例を図１〜３を用いて説明する。なお、従来例と同一構成部品については同一符号を付してその説明を省略する。
【００１５】
電動送風機２の排気側に正方形の排気口３を設け、図２（ａ）に示すように前記排気口３を４個の開口部４に分割している場合、開口部４のそれぞれの周長の総和が１６Ｌとなり、図２（ｂ）に示すように開口部４と略同一面積を有する排気口３ａの周長８Ｌの４倍未満になる。
【００１６】
また図３（ａ）に示すように排気口３を１６分割している場合は、開口部４の周長の総和は６４Ｌで、開口部４と略同一面積を有する排気口３ａの周長の総和が１６Ｌとなり、４倍になる。これはすなわち、格子状の部分が多いということで、気流音が発生しやすい。つまり、気流音は開口部４の周長の総和が開口部４と略同一面積を有する排気口３の周長の総和の４倍未満であれば新たな気流音が発生する箇所が少なく低騒音化を実現することができる。また、排気の流れを妨げるものが少ないため吸込仕事率を高くすることができる。
【００１７】
（実施例２）
次に本発明の第２の実施例を図４，５を用いて説明する。なお上記第１の実施例と同一構成部品については同一符号を付して、その説明を省略する。
【００１８】
電動送風機２の排気側の通路を、複数に分割するためのリブや格子等備えない単一通路とし、電動送風機２後方に排気を上方に流す迂回通路５を設け、さらに排気口３にて排気方向を後方、又は側方、又は後方及び側方に変化するように遮音壁６を設けると共に前記遮音壁６の一面には吸音材７を設けた。
【００１９】
上記構成による作用は以下の通りである。
【００２０】
リブや格子等による新たな気流音が発生することがないため、低騒音化を実現することができる。また、排気の流れを妨げるリブや格子等がないため吸込仕事率を高くすることができる。さらに、迂回通路５によって排気通路が長くなることで排気の整流作用が向上し騒音エネルギ−を確実に低減することができる。また、迂回通路５は排気を上方に流すよう設けたため、排気通路長を確保しつつ掃除機本体１の全長を短くすることができる。また、排気流は遮音壁６の吸音材７に当たった後、図４に示すように遮音壁６の外周部９方向に広がり遮音壁６の外周部９と排気口３の外周部との間隙より排出されるため、遮音壁６と吸音材７の吸音作用、さらに間隙での整流作用によって騒音がさらに低減される。
【００２１】
（実施例３）
次に本発明の第３の実施例を図６を用いて説明する。なお上記実施例と同一構成部品については同一符号を付して、その説明を省略する。
【００２２】
フィルタ−８を電動送風機２後方の排気を上方に流す迂回通路５内に設け、かつ床面に対して斜めに傾けて取りつけた。また、フィルタ−８の流出側及び流入側には格子を備えていない。
【００２３】
上記構成による作用は以下の通りである。
【００２４】
フィルタ−８の流入側および流出側に格子等の障害がないためフィルタ−８を通過する排気の流れを妨げず、フィルタ−８の全面積を有効に利用でき、集塵効率および吸込仕事率が高くなる。また、フィルタ−８を通過することで排気の流速を低下することができ気流音を低減することができる。また、斜めに取りつけることによりフィルタ−８の下方に排気通路を得ることができ、掃除機本体１の全長を長くすることなく少ないスペ−スでフィルタ−の全面積を有効に利用できる。
【００２５】
【発明の効果】
本発明の請求項１記載の発明によれば、電動送風機を内蔵する電動送風機室と、塵埃を捕集する集塵室と、前記電動送風機室と連通するとともに前記電動送風機からの排気を外部に排出する開口部を備え、前記開口部が一個の場合はその内周長を、前記開口部が複数個の場合は、その内周長の総和をａとし、前記開口部の総開口面積と略同一の面積を有する四角形の総内周長をｂとしたとき、ａ＜４ｂになるように設定したので、四角形の総内周長が短いため新たな気流音が発生する箇所が少なく低騒音化を実現することができる。また、排気の流れを妨げるものが少ないため吸込仕事率を高くすることができる。
【００２６】
本発明の請求項３記載の発明によれば、電動送風機室と開口部を連通する通路を、通路を複数に分割するためのリブや格子等を備えない単一通路とした請求項１または２記載の電気掃除機としたので、リブや格子による新たな気流音が発生することがなく、低騒音化を実現することができる。また、排気の流れを妨げるものがないため吸込仕事率を高くすることができる。
【００２７】
本発明の請求項４記載の発明によれば、電動送風機の後方に排気を上方に流すための迂回通路を設けた請求項１〜３のいずれか１項記載の電気掃除機としたので開口部の総内周長が短いため新たな気流音が発生しない上に排気通路が長くなることで排気の整流作用がさらに向上し騒音エネルギ−を確実に低減することができる。また、迂回通路は排気を上方に流すよう設けたため排気通路長を確保しつつ掃除機本体の全長を短くすることができる。
【００２８】
本発明の請求項５記載の発明によれば、開口部にて排気方向が変化するように遮音壁を設けた請求項１〜４のいずれか１項記載の電気掃除機としたので、排気流は遮音壁に当たった後、排気方向を側方、又は後方、又は側方及び後方に変えて遮音壁の外周方向に広がり遮音壁の外周部と排気口部の外周部との間隙より排出されるため、遮音壁の遮音作用及び間隙での整流作用によって騒音がさらに低減される。
【００２９】
本発明の請求項６記載の発明によれば、開口部にて排気方向が変化するように設けた遮音壁の一面に吸音材を配した請求項１〜５のいずれか１項記載の電気掃除機としたので、遮音壁の遮音作用及び間隙での整流作用に加えて吸音材の吸音作用によって高周波音がさらに低減される。
【００３０】
本発明の請求項７記載の発明によれば、排気口の上流側に塵埃捕集用のフィルタ−を配した請求項１〜６のいずれか１項記載の電気掃除機としたので、フィルタ−の流入側あるいは流出側に格子等の障害がない、あるいは開口部の総内周長が短いためフィルタ−を通過する排気の流れを妨げる障害が少なく、フィルタ−の全面積を有効に利用でき、集塵効率および吸込仕事率が高くなる。また、フィルタ−を通過することで排気の流速を低下することができ気流音を低減することができる。
【００３１】
本発明の請求項８記載の発明によれば、フィルタ−を、床面に対し斜めになるように迂回通路内に設けた請求項１〜７のいずれか１項記載の電気掃除機としたので、斜めに取りつけることにより少ないスペ−スでフィルタ−の全面積を有効に利用できるため集塵効率が高くなり、かつ表面積が大きくなることにより圧損が小さくなり吸込仕事率が高くなる。
【図面の簡単な説明】
【図１】
本発明の第１の実施例を示す電気掃除機の断面図
【図２】
（ａ）同電気掃除機の排気口部の正面図
（ｂ）同排気口のダミー図
【図３】
（ａ）他の排気口部の例を示す正面図
（ｂ）同排気口のダミー図
【図４】
本発明の第２の実施例を示す電気掃除機の平面図
【図５】
同電気掃除機の断面図
【図６】
本発明の第３の実施例を示す電気掃除機の断面図
【図７】
従来の電気掃除機を示す断面図
【符号の説明】
１  本体
２  電動送風機
３  排気口
４  開口部
【手続補正２】
【補正対象書類名】図面
【補正対象項目名】図２
【補正方法】変更
【補正の内容】
【図２】
1999318773.tif 000001
【手続補正３】
【補正対象書類名】図面
【補正対象項目名】図３
【補正方法】変更
【補正の内容】
【図３】
1999318773.tif 000002